【手続補正書】
【提出日】平成21年11月19日(2009.11.19)
【手続補正１】
【補正対象書類名】特許請求の範囲
【補正対象項目名】全文
【補正方法】変更
【補正の内容】
【特許請求の範囲】
【請求項１】
複数のデジタルコンテンツ資料アイテム及び該コンテンツ資料アイテムに関連するグラフィカルイメージを含む複数のデジタルグラフィカルイメージファイルを記録した１つ又は複数のコンテンツファイルサーバであって、各コンテンツ資料アイテムは、デジタル化された電子印刷物コンテンツ資料、音声コンテンツ資料、又は映像コンテンツ資料の１つ又は複数のデータファイルを含む、１つ又は複数のコンテンツファイルサーバと、
１つ又は複数のナビゲーションページサーバと、
を備える装置であって、前記１つ又は複数のナビゲーションページサーバはそれぞれ、
複数のナビゲーションページテンプレートを記録した１つ又は複数の記憶装置と、
異なるコンテンツ資料アイテム間及びコンテンツ資料アイテムの異なる下位構成要素間の両方の階層関係及び他の関係を含む、記憶された前記コンテンツ資料アイテムについての説明情報を含むデータベースと、
動的に生成された電子文書を含む特定のナビゲーションページを閲覧する要求を受け取る手段と、
前記要求に基づいて前記ナビゲーションページテンプレートの１つを選択する手段と、
前記特定のナビゲーションページに関連する前記説明情報に対する１つ又は複数のクエリを作成し、前記データベースに送る手段と、
前記クエリに対する１つ又は複数の結果を受け取る手段と、
前記１つ又は複数の結果に基づいて、前記コンテンツ資料アイテム、その部分、又はその要約コレクションのうちの１つ又は複数についての説明情報、他のこのようなナビゲーションページへの複数のリンク、及び特定のコンテンツ資料アイテム又はその部分への０個以上のリンクを含む特定のナビゲーションページを生成する手段と、
前記特定のナビゲーションページのみをクライアントコンピュータに送信する手段と
を備えることを特徴とする、装置。
【請求項２】
１つ又は複数の命令シーケンスを搬送するコンピュータ可読媒体であって、前記命令は、１つ又は複数のプロセッサにより実行されると、該１つ又は複数のプロセッサに、
複数のデジタルコンテンツ資料アイテム及び該コンテンツ資料アイテムに関連するグラフィカルイメージを含む複数のデジタルグラフィカルイメージファイルを記録した１つ又は複数のコンテンツファイルサーバとの通信を確立するステップであって、各コンテンツ資料アイテムは、デジタル化された電子印刷物コンテンツ資料、音声コンテンツ資料、又は映像コンテンツ資料の１つ又は複数のデータファイルを含むステップと、
動的に生成された電子文書を含む特定のナビゲーションページを閲覧する要求を受け取るステップと、
前記要求に基づいて複数の記憶されたナビゲーションページテンプレートの１つを選択するステップと、
前記特定のナビゲーションページに関連する前記説明情報に対する１つ又は複数のクエリを作成し、前記データベースに送るステップであって、前記データベースは、異なるコンテンツ資料アイテム間及びコンテンツ資料アイテムの異なる下位構成要素間の両方の階層関係及び他の関係を含む、前記コンテンツ資料アイテムについての説明情報を含むステップと、
前記クエリに対する１つ又は複数の結果を受け取るステップと、
前記１つ又は複数の結果に基づいて、前記コンテンツ資料アイテム、その部分、又はその要約コレクションのうちの１つ又は複数についての説明情報、他のこのようなナビゲーションページへの複数のリンク、及び特定のコンテンツ資料アイテム又はその部分への０個以上のリンクを含む特定のナビゲーションページを生成するステップと、
前記特定のナビゲーションページのみをクライアントコンピュータに送信するステップと
を実行させることを特徴とする、コンピュータ可読媒体。
【請求項３】
前記特定のナビゲーションページが、前記特定のコンテンツ資料アイテムに関連する１つ又は複数の埋め込みグラフィックイメージをさらに含むことを特徴とする、請求項２に記載のコンピュータ可読媒体。
【請求項４】
前記コンテンツ資料アイテムが、章及び記事を含むデジタル化された書籍又は定期刊行物の号を含むことを特徴とする、請求項２に記載のコンピュータ可読媒体。
【請求項５】
前記各ナビゲーションページテンプレートが、前記コンテンツ資料アイテムのうちの１つ又は複数の特定の要約ビューの表示のデザイン及びレイアウトを特定することを特徴とする、請求項２に記載のコンピュータ可読媒体。
【請求項６】
前記特定のナビゲーションページが、デジタル化された書籍又は定期刊行物の号を含む特定のコンテンツ資料アイテムの目次の少なくとも部分の要約ビューを表し、前記特定のナビゲーションページが、前記目次において識別される特定の章又は記事の最初のページに対応する前記コンテンツ資料アイテムの部分への１つ又は複数のダイレクトリンクを含むことを特徴とする、請求項２に記載のコンピュータ可読媒体。
【請求項７】
前記コンテンツファイルサーバの数が、前記ナビゲーションページサーバの数よりも少ないことを特徴とする、請求項２に記載のコンピュータ可読媒体。
【請求項８】
前記特定のナビゲーションページは、トップレベルナビゲーションページへの複数のリンクを含み、前記各トップレベルナビゲーションページは、逐次定期刊行物の複数の期間枠の中の離散期間枠を表し、前記各トップレベルナビゲーションページは、前記離散期間枠内に発行された前記逐次定期刊行物の号への複数のリンクを含むことを特徴とする、請求項２に記載のコンピュータ可読媒体。
【請求項９】
前記特定のナビゲーションページが、一連の１つ又は複数の説明及び指定されたメタデータ特徴の特定の値を有する発行物にそれぞれ関連する他のナビゲーションページへのリンクを含む要約ナビゲーションページを含むことを特徴とする、請求項２に記載のコンピュータ可読媒体。
【請求項１０】
前記メタデータ特徴が、発行物の著者、発行物の組織、発行物の発行元、特定の批評記事で批評される書籍、及び特定の書籍を批評する批評記事のうちの任意の１つを含むことを特徴とする、請求項９に記載のコンピュータ可読媒体。
【請求項１１】
実行されると、前記特定のナビゲーションページ内の任意のリンクの選択を受け取らせる命令と、前記選択されたリンクで参照される前記コンテンツ資料アイテムを前記クライアントコンピュータに提供する手段と、をさらに備えることを特徴とする、請求項２に記載のコンピュータ可読媒体。
【請求項１２】
前記特定のナビゲーションページがＨＴＭＬ文書を含み、前記データファイルのうちの１つ又は複数がＰＤＦ文書を含むことを特徴とする、請求項２に記載のコンピュータ可読媒体。
【請求項１３】
複数のデジタルコンテンツ資料アイテム及び該コンテンツ資料アイテムに関連するグラフィカルイメージを含む複数のデジタルグラフィカルイメージファイルを記録した１つ又は複数のコンテンツファイルサーバとの通信を確立することであって、各コンテンツ資料アイテムは、デジタル化された電子印刷物コンテンツ資料、音声コンテンツ資料、又は映像コンテンツ資料の１つ又は複数のデータファイルを含むこと、
動的に生成された電子文書を含む特定のナビゲーションページを閲覧する要求を受け取ること、
前記要求に基づいて複数の記憶されたナビゲーションページテンプレートの１つを選択すること、
前記特定のナビゲーションページに関連する前記説明情報に対する１つ又は複数のクエリを作成し、前記データベースに送ることであって、前記データベースは、異なるコンテンツ資料アイテム間及びコンテンツ資料アイテムの異なる下位構成要素間の両方の階層関係及び他の関係を含む、前記コンテンツ資料アイテムについての説明情報を含むこと、
前記クエリに対する１つ又は複数の結果を受け取ること、
前記１つ又は複数の結果に基づいて、前記コンテンツ資料アイテム、その部分、又はその要約コレクションのうちの１つ又は複数についての説明情報、他のこのようなナビゲーションページへの複数のリンク、及び特定のコンテンツ資料アイテム又はその部分への０個以上のリンクを含む特定のナビゲーションページを生成すること、
前記特定のナビゲーションページのみをクライアントコンピュータに送信すること
を含むことを特徴とする、方法。
【請求項１４】
前記特定のナビゲーションページが、前記特定のコンテンツ資料アイテムに関連する１つ又は複数の埋め込みグラフィックイメージをさらに含むことを特徴とする、請求項１３に記載の方法。
【請求項１５】
前記コンテンツ資料アイテムが、章及び記事を含むデジタル化された書籍又は定期刊行物の号を含むことを特徴とする、請求項１３に記載の方法。
【請求項１６】
前記各ナビゲーションページテンプレートが、前記コンテンツ資料アイテムのうちの１つ又は複数の特定の要約ビューの表示のデザイン及びレイアウトを特定することを特徴とする、請求項１３に記載の方法。
【請求項１７】
前記特定のナビゲーションページが、デジタル化された書籍又は定期刊行物の号を含む特定のコンテンツ資料アイテムの目次の少なくとも部分の要約ビューを表し、前記特定のナビゲーションページが、前記目次において識別される特定の章又は記事の最初のページに対応する前記コンテンツ資料アイテムの部分への１つ又は複数のダイレクトリンクを含むことを特徴とする、請求項１３に記載の方法。
【請求項１８】
前記コンテンツファイルサーバの数が、前記ナビゲーションページサーバの数よりも少ないことを特徴とする、請求項１３に記載の方法。
【請求項１９】
前記特定のナビゲーションページは、トップレベルナビゲーションページへの複数のリンクを含み、前記各トップレベルナビゲーションページは、逐次定期刊行物の複数の期間枠の中の離散期間枠を表し、前記各トップレベルナビゲーションページは、前記離散期間枠内に発行された前記逐次定期刊行物の号への複数のリンクを含むことを特徴とする、請求項１３に記載の方法。
【請求項２０】
前記特定のナビゲーションページが、一連の１つ又は複数の説明及び指定されたメタデータ特徴の特定の値を有する発行物にそれぞれ関連する他のナビゲーションページへのリンクを含む要約ナビゲーションページを含むことを特徴とする、請求項１３に記載の方法。
【請求項２１】
前記メタデータ特徴が、発行物の著者、発行物の組織、発行物の発行元、特定の批評記事で批評される書籍、及び特定の書籍を批評する批評記事のうちの任意の１つを含むことを特徴とする、請求項２０に記載の方法。
【請求項２２】
前記特定のナビゲーションページ内の任意のリンクの選択を受け取ること、および、前記選択されたリンクで参照される前記特定のコンテンツ資料アイテムを前記クライアントコンピュータに提供すること、をさらに含むことを特徴とする、請求項１３に記載の方法。
【請求項２３】
前記特定のナビゲーションページがＨＴＭＬ文書を含み、前記データファイルのうちの１つ又は複数がＰＤＦ文書を含むことを特徴とする、請求項１３に記載の方法。